(57)【要約】【課題】見切り縁に水切り機能をもたせると共に上下の外観幅を小さくして納まりを良好にし、さらに見切り縁と水切り部との色合わせを不要にして、施工の手間とコストを大幅に削減すること。【解決手段】見切り縁３は、後側縦片５ａと前方突出横片５ｂと係合部５ｃとが一体に構成された見切りベース部５と、前側縦片６ａと後方突出横片６ｂと上記見切りベース部５の係合部５ｃに引っ掛け連結される被係合部６ｃとが一体に構成された見切りカバー部６とに分割されていると共に、上記前側縦片６ａの下端側からその全幅に亘って外装材２の前方Ｋに向かって張り出し且つその張り出した先端部分が下方に垂下した水切り部７が一体に突設されている外装材２の見切り構造である。【選択図】図１
2009209617.tif 000002
【特許請求の範囲】
【請求項１】
窓下枠と対向する窓下の外装材の上端部に見切り縁が取り付けられた外装材の見切り構造において、上記見切り縁は、見切りベース部と見切りカバー部とに分割され、上記見切りベース部は、外装材の背後に配置される後側縦片と、後側縦片の上端部から前方に突出する前方突出横片と、前方突出横片の先端部に設けられて外装材の上端部から離間して配置される係合部とが一体に構成され、上記見切りカバー部は、外装材の前面に配置される前側縦片と、前側縦片の上端部から後方に突出する後方突出横片と、後方突出横片の先端部に設けられて上記見切りベース部の係合部に引っ掛け連結される被係合部とが一体に構成されていると共に、上記前側縦片の下端側からその全幅に亘って外装材の前方に向かって張り出し且つその張り出した先端部分が下方に垂下した水切り部が一体に突設されていることを特徴とする外装材の見切り構造。
【請求項２】
上記見切りベース部の後側縦片に、前方突出横片よりも上方に突出して先端が窓下枠の下面に当接可能な突起部を突設させてなることを特徴とする請求項１記載の外装材の見切り構造。
【請求項３】
上記見切りカバー部に、前端部が上記水切り部と連なり後端部が外装材の前面に当接又は隙間をあけて配置されると共に水切り部から離れるに従って上り傾斜する下カバー部を一体に設けたことを特徴とする請求項１又は２記載の外装材の見切り構造。
【発明の詳細な説明】
【技術分野】
【０００１】
本発明は、窓下枠と対向する窓下の外装材の上端部に見切り縁が装着された外装材の見切り構造に関し、詳しくは見切り縁に水切り機能を持たせた構造に関するものである。
【背景技術】
【０００２】
従来より外装材の見切り構造として、見切り縁の下方に見切り縁とは別体の水切り板を取り付け、外壁を伝って流れ落ちる伝い水を水切り板によって水切りするようにした見切り構造が一般的に知られている（例えば、特許文献１参照）。
【０００３】
その一例として、例えば図５に示すように、見切り縁３´の下方に前方Ｋに張り出すようにして水切り板３０をリベット固定し、水切り板３０の上部を見切り縁３´の下端と外装材２との間に差し込むことにより、窓下枠１Ａから流れ落ちる雨水や結露水などの水滴を水切り板３０によって水切りする構造が知られている。図中の５０は防水シーリング材である。
【０００４】
ところが、従来の水切り構造では、水切り板３０は別途現場にて取り付けなければならないものであり、部品点数が増える上にリベット固定する必要があるため、現場での施工としても面倒なものであった。しかも、見切り縁３´と水切り板３０とを上下に配列する構造であるためその外観幅が大きくなるという問題があり、さらに見切り縁３´と水切り板３０の色柄が異なると外観上の違和感を与えるために色合わせが必要となり、施工の手間やコストが増大するという問題もあった。
【特許文献１】特開平９−６０１８４号公報
【発明の開示】
【発明が解決しようとする課題】
【０００５】
本発明は上記の従来の問題点に鑑みて発明したものであって、見切り縁に水切り機能をもたせることができ、現場での施工性が向上すると共に、見切りカバー部全体の上下の外観幅を小さくして納まりを良好にでき、さらに見切り縁と水切り部との色合わせが不要となり、施工の手間とコストを大幅に削減できる外装材の見切り構造を提供することを課題とし、また、見切り縁の仕舞いを良好にできる外装材の見切り構造を提供することを課題とするものである。
【課題を解決するための手段】
【０００６】
前記課題を解決するために本発明は、窓下枠１Ａと対向する窓下の外装材２の上端部２ａに見切り縁３が取り付けられた外装材の見切り構造において、上記見切り縁３は、見切りベース部５と見切りカバー部６とに分割され、上記見切りベース部５は、外装材２の背後に配置される後側縦片５ａと、後側縦片５ａの上端部２ａから前方Ｋに突出する前方突出横片５ｂと、前方突出横片５ｂの先端部に設けられて外装材２の上端部２ａから離間して配置される係合部５ｃとが一体に構成され、上記見切りカバー部６は、外装材２の前面２ｂに配置される前側縦片６ａと、前側縦片６ａの上端部２ａから後方Ｈに突出する後方突出横片６ｂと、後方突出横片６ｂの先端部に設けられて上記見切りベース部５の係合部５ｃに引っ掛け連結される被係合部６ｃとが一体に構成されていると共に、上記前側縦片６ａの下端側からその全幅に亘って外装材２の前方Ｋに向かって張り出し且つその張り出した先端部分が下方に垂下した水切り部７が一体に突設されていることを特徴としている。
【０００７】
このような構成とすることで、見切りカバー部６の前側縦片６ａに前方Ｋに張り出す水切り部７を一体に突設したことによって、見切り縁３自体に水切り機能を持たせることができ、これにより従来のような見切り縁３と別体の水切り板を用いる場合と比較して、現場での施工を省略できると共に、見切りカバー部６の前側縦片６ａと水切り部７との一体化によって見切りカバー部６全体の上下の外観幅を小さくできると共に、見切り縁３と水切り部７との色合わせも不要となる。
【０００８】
また、上記見切りベース部５の後側縦片５ａに、前方突出横片５ｂよりも上方に突出して先端が窓下枠１Ａの下面に当接可能な突起部５ｄを突設させるのが好ましく、この場合、突起部５ｄによって見切り縁３の上面と窓下枠１Ａの下面との間にシーリング隙間４０を確保でき、シーリング隙間４０を確保するために見切り縁３の取り付け高さを現場で計算する必要がなくなる。
【０００９】
また、上記見切りカバー部６に、前端部８ａが上記水切り部７と連なり後端部８ｂが外装材２の前面２ｂに当接又は隙間をあけて配置されると共に水切り部７から離れるに従って上り傾斜する下カバー部８を一体に設けるのが好ましく、この場合、水切り部７を張り出した構成でありながら下カバー部８によって見切り縁３の仕舞いを良好にできる。
【発明の効果】
【００１０】
請求項１記載の発明では、見切りカバー部の前側縦片の下端側から前方に張り出すようにして水切り部を一体に突設したことにより、従来のような水切り板を別途取り付ける必要がなくなり、水切り板のリベット固定を省略できると共に部品数を削減でき、現場での施工性が向上するものであり、また、見切り縁自体に水切り機能を持たせることによって見切りカバー部の上下の外観幅を小さくできて納まりを良好にできるものであり、さらに見切り縁と水切り部との色合わせが不要となり、さらにサッシ窓枠と近似色に揃えることも容易になるという効果が得られる。
【００１１】
請求項２記載の発明では、見切りベース部の後側縦片から突出した突起部によって見切り縁の上面と窓下枠の下面との間にシーリング隙間を確保できるので、シーリング隙間を確保するための計算を現場で行なう必要がなくなり、現場での施工の手間を一層削減できるものである。
【００１２】
請求項３記載の発明では、下カバー部によって水切り部を張り出した見切り縁の仕舞いを良好にできるものである。
【発明を実施するための最良の形態】
【００１３】
以下、本発明を添付図面に示す実施形態に基いて説明する。
【００１４】
図１は、窓下枠１Ａと対向する窓下の外装材２の上端部２ａに本実施形態の見切り縁３を取り付けた状態を示している。
【００１５】
図１において、建物躯体に設けた窓取り付け用の開口部の周縁部に沿って窓枠下地材１３が固定されており、この窓枠下地材１３に対してサッシ窓枠１が取り付けられている。サッシ窓枠１は、窓下枠１Ａと、図示省略した窓上枠と、左右一対の窓側枠とが、正面視ロ字状に一体に組み立てられている。
【００１６】
窓下の外装材２は、例えば金属系サイディングで構成されており、その上端部２ａが嵌め込まれる見切り縁３は例えば薄肉鋼板で構成されている。また窓下枠１Ａと見切り縁３の上面部との隙間には、バックアップ材１０及び防水シーリング材１１が充填されている。
【００１７】
ここで本発明においては、見切り縁３は、外装材２の背後に配置される見切りベース部５と、外装材２の前面に配置される見切りカバー部６とに前後に２分割されている。
【００１８】
上記見切りベース部５は、外装材２の背後に配置される後側縦片５ａと、後側縦片５ａの上端部２ａから前方Ｋに突出する前方突出横片５ｂと、前方突出横片５ｂの先端部に設けられて外装材２の上端部２ａから離間して配置される係合部５ｃとが一体に構成されている。
【００１９】
上記見切りカバー部６は、外装材２の前面２ｂに配置される前側縦片６ａと、前側縦片６ａの上端部２ａから後方Ｈに突出する後方突出横片６ｂと、後方突出横片６ｂの先端部に設けられて上記見切りベース部５の係合部５ｃに引っ掛け連結される被係合部６ｃとが一体に構成されている。
【００２０】
本例では、見切りベース部５の係合部５ｃは、前方突出横片５ｂの先端部を後下方に向かってム字状に折り返して構成されている。一方、見切りカバー部６の被係合部６ｃは、図２（ｂ）に示すように、後方突出横片６ｂの先端部を後方Ｈに向けてＶ字形に折り返した上下方向に弾性変形可能なＶ字形折り返し部６ｃ１と、Ｖ字形折り返し部６ｃ１の先端下部を更に折り返した引っ掛け部６ｃ２とで構成されていると共に、上下方向に弾性変形自在とされ、引っ掛け部６ｃ２が上記係合部５ｃに対して着脱自在に引っ掛け連結される構造となっている。
【００２１】
また、前側縦片６ａの下端側からは水切り部７が一体に突設されている。この水切り部７は、図１に示すように、前側縦片６ａの全幅に亘って外装材２の前方Ｋに向かって張り出した張り出し部７ａと、その張り出し部７ａの先端部分から下方に垂下した垂下部７ｂと、垂下部７ｂの下端部の鋭角に尖った水切り部分７ｃとが一体形成されている。
【００２２】
さらに本例では、上記見切りカバー部６の下端部には、前端部８ａが上記水切り部７の垂下部７ｂと連なり、後端部８ｂが外装材２の前面２ｂに当接する下カバー部８が一体に設けられている。本例の下カバー部８は、水切り部７から離れるに従って上り傾斜しており、水切り部７の水切り機能を損なわないようにしている。本例の下カバー部８は、後端部８ｂを外装材２の前面２ｂに当接させる長尺形状で且つ先端が折り曲げ形状となっているが、必ずしもこの形状に限らず、例えば、外装材２の前面２ｂから隙間をあけて配置される短尺形状で且つ先端が自由端形状となっているものであってもよい、
次に、見切り縁３の施工手順を説明する。先ず、外装下地材である横胴縁４に対して、見切りベース部５の後側縦片５ａを下端耳部１６よりも上方位置で釘１４ａにて固着し、その後、外装材２の上端部２ａを後側縦片５ａを介して横胴縁４に釘１４ｂにて固着する。その後、見切りカバー部６を手で持ち、図２（ｂ）のように見切りベース部５の係合部５ｃの前方突出横片５ｂの上方に被係合部６ｃの後方突出横片６ｂを位置させ且つ係合部５ｃの下方に被係合部６ｃの引っ掛け部６ｃ２を位置させた状態で、被係合部６ｃのＶ字形折り返し部６ｃ１を斜め前下方から係合部５ｃに向けて差し込むと、Ｖ字形折り返し部６ｃ１が拡開して引っ掛け部６ｃ２が係合部５ｃの下面を滑りながら移動して係合部５ｃの下方から弾性係止により引っ掛け連結される。この引っ掛け部６ｃ２の引っ掛け方向は、見切りカバー部６の抜き差し方向（前後方向）と直交する方向（上下方向）であるので、図１のように係合部５ｃに対して確実に抜け止めされた状態となる。その後、見切り縁３の上面部と窓下枠１Ａとのシーリング隙間４０に、バックアップ材１０及び防水シーリング材１１を充填して取り付け施工を完了する。
【００２３】
しかして、窓下枠１Ａからの雨水や結露水等の伝い水は見切りカバー部６の水切り部７によって水切りされて地面に流し落とすことができるので、雨水や水滴等が窓下の外装材２に垂れ流れないようにすることができ、これにより、外装材２の汚れを防止できる。つまり、見切り縁３は本来の化粧機能に加えて水切り機能も備えた構造となるので、従来の水切り板を用いることなく、外装材２の汚染防止効果が得られる。
【００２４】
しかも、従来のような水切り板を別途取り付けたり、水切り板のリベット固定を省略できると共に部品数を削減できるので、現場での施工がきわめて容易となる。
【００２５】
さらに、見切りカバー部６の前側縦片６ａから水切り部７を一体に突設させたことで、従来のような見切り縁３と別体の水切り板を取り付けた場合と比較して、見切りカバー部６全体の上下の外観幅を小さくすることが容易となり、納まりが良好となる。しかも見切り縁３と水切り部７とを同じ色柄に統一できるので、従来のような色合わせも不要となり、さらにサッシ窓枠１と近似色に揃えることも容易となる。
【００２６】
また本例では見切りカバー部６に、水切り部７と外装材２間の隙間を下方から覆う下カバー部８を設けたことによって、水切り部７を張り出した構成でありながら見切り縁３の仕舞いを下カバー部８によって良好にできる利点がある。
【００２７】
さらに本例では、見切り縁３を見切りカバー部６と見切りベース部５とに前後２分割し、見切りカバー部６の上端部２ａを見切りベース部５の上端部２ａに引っ掛け連結するので、見切り縁３の組立をワンタッチで行なうことができる。しかも、見切りベース部５の係合部５ｃと見切りカバー部６の被係合部６ｃとは、簡易な引っ掛け連結方式であるので、取り外しもワンタッチでできる。つまり、見切りカバー部６を取り外す場合は、防水シーリング材１１及びバックアップ材１０を除去してから、見切りカバー部６を手で持って斜め前上方に引っ張ると、被係合部６ｃのＶ字形折り返し部６ｃ１が拡開して引っ掛け部６ｃ２が係合部５ｃの下方に抜け出すことにより、ワンタッチで取り外せるようになるので、見切り縁３のメンテナンスや交換も楽に行なえるようになる。
【００２８】
図３は、本発明の他の実施形態であり、上記見切りベース部５の後側縦片５ａに、前方突出横片５ｂよりも上方に突出して先端が窓下枠１Ａの下面に当接可能な突起部５ｄを突設させた場合の一例を示している。他の構成は図１の実施形態と同様であり、対応する部分には同一符号を付しておく。ちなみに、前記図２のように見切り縁３の後側縦片５ａを外装下地材４に取り付ける際に、見切り縁３の上面と窓下枠１Ａの下面との間に所定のシーリング隙間４０が確保されるように、現場で後側縦片５ａの取り付け高さを計算しながら取り付け作業を行なう必要がある。これに対し本例では、突起部５ｄの先端を窓下枠１Ａの下面に当接させるだけで、後側縦片５ａの取り付け高さが決まり、シーリング隙間４０を計算せずに容易に確保できるものであり、これにより、現場での見切り縁３の取り付け作業の手間を削減できる。また本例のリブ状の突起部５ｄは防水シーリング材１１のバックアップ材１０（図１）としても機能するので、バックアップ材１０（図１）を省略できる利点もある。なお突起部５ｄの形状は、後側縦片５ａの上端部の全幅に亘って突出する形状に限らず、例えば後側縦片５ａの上端部の幅方向に間隔をあけて複数個所から突出する形状であってもよく、要は、窓下枠１Ａの下面に当たってシーリング隙間４０を確保できる形状であればよい。
【００２９】
なお前記実施形態では、シーリング隙間４０にペースト状の防水シーリング材１１（図１）を充填する場合を例示したが、他例として図４に示すように、見切りカバー部の後方突出横片の上面に固形の水密パッキン１１ａを予め貼着しておくことも可能である。これにより、現場でのシーリング作業の手間を省けるようになる。また水密パッキン１１ａとしては、バックアップ材１０（図１）を必要としない固形状のものであればよい。
【図面の簡単な説明】
【００３０】
【図１】本発明の一実施形態に用いる水切り機能を有する見切り縁を備えた外装材の見切り構造を示す側面断面図である。
【図２】（ａ）は同上の見切りベース部を横胴縁に取り付けた状態の説明図、（ｂ）は同上の見切りベース部に対して見切りカバー部を前方から引っ掛け連結する場合の説明図である。
【図３】本発明の他の実施形態の説明図である。
【図４】本発明の更に他の実施形態の説明図である。
【図５】従来例の説明図である。
【符号の説明】
【００３１】
１Ａ  窓下枠
２  外装材
２ａ  外装材の上端部
２ｂ  外装材の前面
３  見切り縁
５  見切りベース部
５ａ  後側縦片
５ｂ  前方突出横片
５ｃ  係合部
６  見切りカバー部
６ａ  前側縦片
６ｂ  後方突出横片
６ｃ  被係合部
７  水切り部
８  下カバー部
Ｈ  後方
Ｋ  前方
【図１】
2009209617.tif 000003
【図２】
2009209617.tif 000004
【図３】
2009209617.tif 000005
【図４】
2009209617.tif 000006
【図５】
2009209617.tif 000007